(57)【特許請求の範囲】
【請求項１】
着色された板状またはシート状の光拡散性導光部材により標識図柄、文字またはシンボルなどの表示図柄を形成し、その裏面に配設された光源からの光の透過により、走行車両の乗員に対して表示図柄を表示する情報表示装置において、
光拡散性導光部材に形成された第１の表示図柄上に縦横マトリックス状に配置され、光拡散性導光部材の厚さ方向に貫通する複数の微小穴と、
これら微小穴にそれぞれ挿入配置され、発光時に点綴りで任意の標識図柄、文字またはシンボルなどの第２の表示図柄を第１の表示図柄に重畳して表示する複数のＬＥＤとを備え、
各微小穴は、各ＬＥＤが発光しない場合に、走行車両の乗員から視認されない直径を有することを特徴とする情報表示装置。
【請求項２】
請求項１記載の情報表示装置において、
微小穴およびＬＥＤは、
固定的に選択された図柄からなる第２の表示図柄に対応した位置にのみ配設することを特徴とする情報表示装置。
【請求項３】
請求項１または２記載の情報表示装置において、
微小穴は、
光拡散性導光部材の裏面にその表面まで貫通しないように設けることを特徴とする情報表示装置。
【請求項４】
請求項１記載の情報表示装置において、
微小穴は、
光拡散性導光部材の裏面に表面まで貫通しないように設け、
固定的に選択された図柄からなる第２の表示図柄に対応した位置に配設された微小穴を囲む位置に、これら微小穴の内部に配設されたＬＥＤからの光を反射する遮光部材を備えることを特徴とする情報表示装置。
【請求項５】
着色された板状またはシート状の光反射部材により標識図柄、文字、シンボルなどの表示図柄を形成し、表面前方からの光の反射により、走行車両の乗員に対して表示図柄を表示する情報表示装置において、
光反射部材に形成された第１の表示図柄上に縦横マトリックス状に配置され、光反射部材の厚さ方向に貫通する複数の微小穴と、
これら微小穴にそれぞれ挿入配置され、発光時に点綴りで任意の標識図柄、文字またはシンボルなどの第２の表示図柄を第１の表示図柄に重畳して表示する複数のＬＥＤとを備え、
各微小穴は、各ＬＥＤが発光しない場合に、走行車両の乗員から視認されない直径を有することを特徴とする情報表示装置。
【請求項６】
請求項５記載の情報表示装置において、
各ＬＥＤは、
その透明レンズ後端部が、そのＬＥＤの配線部材とともに防水充填材で充填防水され、光反射部材の裏面から表面方向に微小穴へ透明レンズ前端部から挿入配置することを特徴とする情報表示装置。
【請求項７】
着色された板状またはシート状の光導光部材により標識図柄、文字、シンボルなどの表示図柄を形成し、その裏面に配設された光拡散性導光部材からの光の透過により、走行車両の乗員に対して表示図柄を表示する情報表示装置において、
光導光部材に形成された第１の表示図柄上に縦横マトリックス状に配置され、光拡散性導光部材の厚さ方向に貫通する複数の微小穴と、
これら微小穴にそれぞれ挿入配置され、発光時に点綴りで任意の標識図柄、文字またはシンボルなどの第２の表示図柄を第１の表示図柄に重畳して表示する複数のＬＥＤとを備え、
各微小穴は、各ＬＥＤが発光しない場合に、走行車両の乗員から視認されない直径を有することを特徴とする情報表示装置。
【請求項８】
請求項７記載の情報表示装置において、
微小穴およびＬＥＤは、
固定的に選択された図柄からなる第２の表示図柄に対応した位置にのみ配設することを特徴とする情報表示装置。
【請求項９】
請求項８記載の情報表示装置において、
微小穴は、
光拡散性導光部材の裏面に表面まで貫通しないように設けることを特徴とする情報表示装置。
【請求項１０】
請求項１〜９記載の情報表示装置において、
微小穴は、
３〜５ｍｍの直径を有することを特徴とする情報表示装置。
【請求項１１】
請求項１〜１０記載の情報表示装置において、
各微小穴は、
道路の進路を示す第１の表示図柄上に配置することを特徴とする情報表示装置。
【請求項１２】
請求項１〜１１記載の情報表示装置において、
各微小穴は、
白色に着色された第１の表示図柄上に配置することを特徴とする情報表示装置。
【発明の詳細な説明】
【０００１】
【発明の属する技術分野】
本発明は、情報表示装置に関し、特に道路などに設置され各種情報を表示する情報表示装置に関するものである。
【０００２】
【従来の技術】
一般に、高速道路やトンネル内などの道路では、図６に示すような案内標識６１を設けて、矢印図柄による進路、先行道路の地点名や距離などの情報を、走行車両の乗員、例えばドライバに提供している。
しかしながら、先行道路で事故、火災、道路損壊などが発生した場合や、通行止め状態であっても、案内標識では、矢印図柄であたかも通行できるかのように表示されており、ドライバにとって適切な情報を提供できない場合もあった。
【０００３】
そのために、可変標識や道路情報板など、先行道路の状況に応じて表示情報を変更できる可変表示装置６２を設けて、通行止めなどの情報を提供するようにしている。
したがって、図６のような場合は、高速道路のトンネル内に、固定表示の案内標識６１と、可変表示装置６２とが設けられる。
そして、例えば先行のトンネル内で事故が発生した場合には、事故発生と、その直近手前の出口で高速道路を降りる旨の指示を、可変表示装置６２により行うものとなっていた。
【０００４】
また、他の方式として、図７に示すように、首都高速道路などでは、図形情報板のうち、案内標識の矢印部分をすべてＬＥＤで埋め尽くしておき、事故通行止めなどが発生した場合は、赤色ＬＥＤを発光させて、通行止めとなった矢印部分に赤色の×印表示を行うことで、事故、通行止を表示するものとなっていた。
【０００５】
【発明が解決しようとする課題】
しかしながら、このような従来の情報表示装置では、前者の可変表示装置を用いた場合、これら装置は比較的高価であり、また設置スペースを大きくとることから、特に道路の上部空間が狭いトンネル内での設置は困難であるという問題があった。
また、後者の図形表示板を用いた場合は、ＬＥＤが発光していないときは矢印部分が黒色となり、標識標示令により規定される案内標識の矢印部分の白色と相違する問題があり、道路形状にＬＥＤを合わせて取り付ける必要からＬＥＤの取り付け構造が複雑で、高価となる欠点があった。
【０００６】
そこで、図６に示す案内標識６１のうち、標識標示令により規定される白色の矢印部分に、事故発生時は赤色矢印を点滅表示し、通行止時は赤色矢印を点灯表示することができれば、問題を解決できる。
この赤色矢印表示を行う方式としては、前述の図形情報板（図７参照）の矢印部分のＬＥＤを案内標識板に埋め込むことが考えられる。
【０００７】
しかしながら、この方式では、ＬＥＤの形状が大きく、ＬＥＤが発光していない時は黒色で×印表示に見えることから問題があった。
本発明はこのような課題を解決するためのものであり、標識標示令により規定される案内標識の機能を維持し、かつ先行道路状況をドライバに対して明瞭に表示できる情報表示装置を提供するものである。
【０００８】
【課題を解決するための手段】
このような目的を達成するために、本発明は、光拡散性導光部材を用いた内照式の情報表示装置において、光拡散性導光部材に形成された第１の表示図柄上に縦横マトリックス状に配置され、光拡散性導光部材の厚さ方向に貫通する複数の微小穴と、これら微小穴にそれぞれ挿入配置され、発光時に点綴りで任意の標識図柄、文字またはシンボルなどの第２の表示図柄を第１の表示図柄に重畳して表示する複数のＬＥＤとを備え、各微小穴の直径を、各ＬＥＤが発光しない場合に、走行車両の乗員から視認されない大きさとしたものである。
【０００９】
また、光反射部材を用いた反射式の情報表示装置において、光反射部材に形成された第１の表示図柄上に縦横マトリックス状に配置され、光反射部材の厚さ方向に貫通する複数の微小穴と、これら微小穴にそれぞれ挿入配置され、発光時に点綴りで任意の標識図柄、文字またはシンボルなどの第２の表示図柄を第１の表示図柄に重畳して表示する複数のＬＥＤとを備え、各微小穴の直径を、各ＬＥＤが発光しない場合に、走行車両の乗員から視認されない大きさとしたものである。
【００１０】
また、光導光部材と、その裏面に配設された光拡散性導光部材とからなる内照式の情報表示装置において、光導光部材に形成された第１の表示図柄上に縦横マトリックス状に配置され、光拡散性導光部材の厚さ方向に貫通する複数の微小穴と、これら微小穴にそれぞれ挿入配置され、発光時に点綴りで任意の標識図柄、文字またはシンボルなどの第２の表示図柄を第１の表示図柄に重畳して表示する複数のＬＥＤとを備え、各微小穴の直径を、各ＬＥＤが発光しない場合に、走行車両の乗員から視認されない大きさとしたものである。
【００１１】
具体的には、微小穴の直径として、３〜５ｍｍとしたものである。
したがって、これら各情報表示装置において、ＬＥＤ発光時にのみ、固定的な第１の表示図柄に重畳して、任意の第２の表示図柄が点綴りで走行車両の乗員に視認される。
【００１２】
【発明の実施の形態】
次に、本発明について図面を参照して説明する。
図１は本発明の第１の実施の形態による情報表示装置の構成を示す説明図であり、特に、内照式の案内標識が例として示されている。
同図において、（ａ）は外観構成（前面および側面）、（ｂ）は主要部の前面図、（ｃ）は主要部のＢ−Ｂ’断面図、（ｄ）は他の構成例を示すＢ−Ｂ’断面図である。
【００１３】
図１（ａ）に示すように、内照式の案内標識は、前面に配置された着色の光拡散性透光板１１により、標識図柄、文字、シンボルなどの表示図柄が形成されている。
そして、裏面に配設された蛍光灯などの光源１２からの光１３の透過、または表面前方からの光１４の反射により、板状またはシート状の光拡散性透光板１１に形成されている標識図柄、文字、シンボルなどの表示図柄（第１の表示図柄）が、走行車両の乗員、例えばドライバに向けて表示される。
【００１４】
以下、このような内照式の案内標識において、図１（ａ）のＡ部（白色矢印領域）に赤色の×印を表示する場合について、詳細に説明する。
図１（ｂ）は、図１（ａ）のＡ部を拡大した前面図であり、この矢印部分の領域において、光拡散性透光板１１は白色に着色されている。
この白色の領域には、赤色のＬＥＤ１５が縦横マトリックス状に配置されており、所定のＬＥＤを選択して点灯させることにより、点綴りで×印など任意の標識図柄、文字、シンボルなどの表示図柄（第２の表示図柄）が表示される。
【００１５】
ＬＥＤ１５は、図１（ｃ）に示すように、光拡散性透光板１１に貫通して設けられた微小穴１８内に、裏面から挿入配置されており、裏面の配線１７から電源が供給される。
これにより、例えば図１（ｂ）に示すように、ＬＥＤ１５Ａ（黒丸）を点灯させ、ＬＥＤ１５Ｂ（白丸）を消灯させることにより、ＬＥＤ１５Ａから出力光１６が前方に出力され、光拡散性透光板１１の前面に配置されている透明板１１Ｂを通して、×印が表示される。
【００１６】
なお、透明板１１Ｂは、雨水が微小穴１８を介して、ＬＥＤ１５の電極および配線１７などの電気回路に影響しないように防水するためのものである。
また、微小穴１８の直径は、ＬＥＤ１５が挿入できる寸法で、かつ発光している時は十分に点綴りで×印が視認でき、発光していない時はドライバに視認できない微小直径とする。
【００１７】
一般的なＬＥＤでは、その直径（外形寸法）は１．５ｍｍから７．５ｍｍ程度のものまであるが、発光出力を考慮すると３〜５ｍｍ程度の直径が適当で、その発光出力は一つの赤色ＬＥＤで、最高２ｃｄ程度が製作できる状況にある。
また、ドライバが走行中に視認するのに必要な発光光度については、前述の道路情報板において、３０ｍｍピッチ、直径２０ｍｍで、１．５ｃｄの発光光度が得られる電球を用いた場合、１５０ｍ離れた地点から点綴り表示が十分視認できている。
【００１８】
したがって、その直径は発光時における光のにじみ現象により、実際寸法より大きく見えることもあり、直径３〜５ｍｍのＬＥＤの発光出力で十分である。
なお、視認実験でも点綴り表示が十分視認できることが確認された。
【００１９】
一方、発光していないＬＥＤ１５Ｂについては、特に白色領域に微小穴１８が配置されていることから、周囲の光拡散性透光板１１のほうが明るく、光のにじみ現象により微小穴１８が視認されにくくなる。
また、ドライバが走行中に視認する角度、すなわち上視視認限界角度は７゜といわれている。
したがって、一般的な標識板の高さ位置６ｍとドライバの眼の高さ１．２ｍからすれば、この標識を視認する最小距離Ｌは、次式により求められる。
【００２０】
Ｌ＝ｔａｎ-1（７゜）×（６−１．２）
≒３９ｍ
実際に、標識板の手前３９ｍの地点から、３〜５ｍｍの発光していない微小点を視認することは、ドライバの視力から見て不可能である。
例えば、視力１．０の人間が、３９ｍ離れた位置から見分けられる大きさｈは、ランドルト環から、次式により求められる。
【００２１】
ｈ＝ｔａｎ（１／６０）×３９ｍ
≒１．１ｃｍ
となり、３ｍｍの約４倍必要である。
したがって、ＬＥＤが発光していない場合、×印が視認されない。
なお、実験によってもＬＥＤが発光していない場合は、×印が視認できないことが確認された。
【００２２】
さらに、図１（ｂ）に示すように、ＬＥＤ１５をＸ印部分だけではなく、縦横マトリックス状に配設したので、ドライバが３ｍｍの微小穴を視認できる距離に近づき、上視視認限界角度を超えて無理に本標識を見た場合でも、微小穴が縦横マトリクス状に視認されるだけで、×印が視認されることはない。
したがって、微小穴１８の直径についても、ＬＥＤ１５と同様に３〜５ｍｍとすればよい。
【００２３】
なお、図１（ｃ）において、光源１２からの光１３が、微小穴１８，ＬＥＤ１５の透明樹脂部を通過して前方に出力されるため、光１３による光のにじみ現象により微小穴１８の存在が視認されることが考えられる。
【００２４】
この場合、図１（ｄ）に示すように、ＬＥＤ１５の後部に、ＬＥＤ１５の電極を通す穴を有する微小な円筒形状の光拡散性透光板１９を設けてもよい。
これにより、光源１２からの光１３が光拡散性透光板１９により拡散されて前方に直接出力されず、光１３による光のにじみ現象により微小穴１８の存在が視認されることはなくなる。
【００２５】
次に、図２を参照して、本発明の第２の実施の形態について説明する。
図２は本発明の第２の実施の形態による情報表示装置を示す説明図であり、前述の第１の実施の形態と同様に、内照式の案内標識に関するものである。
図２において、（ａ）は主要部の前面図、（ｂ）は主要部のＢ−Ｂ’断面図であり、前述の図１と同じまたは同等部分には同一符号を付してある。
【００２６】
図２（ｂ）に示すように、微小穴２１は、光拡散性透光板１１の裏面から光拡散性透光板１１を貫通しない範囲で設けられている。
この微小穴２１内に挿入されたＬＥＤ１５を発光させると、その出力光１６は、光拡散性透光板１１により拡散されて前方に出力される。
【００２７】
ここで、出力光１６は光拡散性透光板１１により拡散されることから、ＬＥＤ１５の近くでは出力光１６の光束が大きくなり、ＬＥＤ１５から離れると出力光１６の光束が小さくなるため、図２（ａ）に示すように、波状の輪郭をした×印が表示される。
したがって、この方式によれば、後方の光源１２からの光１３は、光拡散性透光板１１により拡散されることから、前方に直接出力されず、光１３による光のにじみ現象により微小穴２１の存在が視認されることはなくなる。
【００２８】
次に、図３を参照して、本発明の第３の実施の形態について説明する。
図３は本発明の第３の実施の形態による情報表示装置を示す説明図であり、前述の第２の実施の形態と同様に、内照式の案内標識に関するものである。
図３において、（ａ）は主要部の前面図、（ｂ）は主要部のＢ−Ｂ’断面図であり、前述の図３と同じまたは同等部分には同一符号を付してある。
【００２９】
この例では、図３（ａ）に示すように、×印表示をなすＬＥＤ１５の周囲（光拡散性透光板１１内部）に、光を通さず反射する薄い遮光箔３１が配置されている。
この方式によれば、ＬＥＤ１５からの出力光１６は、光拡散性透光板１１を拡散しながら透過して遮光箔３１に至る。
【００３０】
ここで、この出力光１６は遮光箔３１で反射され、その光束が遮光箔３１に囲まれた領域で平均化されるため、遮光箔３１で囲まれた領域全体が×印表示として視認される。
また、ＬＥＤ１５が発光していない場合は、同様にして、後方の光源１２からの光１３が遮光箔３１で反射されるため、前方からは遮光箔３１の存在が視認されず、×印表示も視認されることはない。
【００３１】
なお、以上説明した第１〜第３の実施の形態は、図１（ａ）に示した内照式の情報表示装置に限定されるものではない。
例えば、図４に示すような内照式の情報表示装置にも適用できる。
図４は内照式の他の情報表示装置（前面および側面）を示す説明図である。
【００３２】
同図において、４１は側面に配置された蛍光灯などの光源４２からの光４３を内部反射により導光する光拡散性導光板である。
この光拡散性導光板４１の前面には、着色された板状またはシート状の透明材４１Ａが設けられており、光拡散性導光板４１により導光された光４３が、この着色の透明材４１Ａに形成された標識図柄などを裏面から透過し、ドライバに表示するものである。
【００３３】
したがって、ここでの説明は省略するが、例えば図１の光拡散性透光板１１と同様に、この光拡散性導光板４１に微小穴を形成するとともに、その微小穴にＬＥＤを挿入配置することにより、前述した第１〜第３の実施の形態を適用でき、同様の作用効果が得られる。
なお、第３の実施の形態に適用する場合は、遮光箔３１により光源４２からの光４３がすべて遮断されないように、例えば光源４２を光拡散性導光板４１の周囲に配置すればよい。
【００３４】
次に、図５を参照して、本発明の第４の実施の形態について説明する。
図５は本発明の第４の実施の形態による情報表示装置を示す説明図であり、特に、反射式の案内標識が例として示されている。
同図において、（ａ）は外観構成（前面および側面）、（ｂ）は主要部の前面図、（ｃ）は主要部のＡ−Ａ’断面図である。
【００３５】
図５において、反射式の案内標識は、構造部材をなすアルミなどの反射板５１に張り付けられている着色された板状またはシート状の光反射シート５１Ａにより、標識図柄、文字、シンボルなどの表示図柄が形成されている。
そして、表面前方の光源（蛍光灯）５２からの光５３が反射板５１に反射することにより、光反射シート５１Ａに形成されている標識図柄、文字、シンボルなどの表示図柄が、ドライバに向けて視認表示される。
【００３６】
以下、このような反射式の案内標識において、図５（ａ）のＡ部（白色矢印領域）に赤色の×印を表示する場合について、詳細に説明する。
図５（ｂ）は、図５（ａ）のＡ部を拡大した前面図であり、この矢印部分の領域において、光反射シート５１Ａは白色に着色されている。
この白色の領域には、赤色のＬＥＤ５５が縦横マトリックス状に配置されており、所定のＬＥＤを選択して点灯させることにより、点綴りで×印など任意の文字やシンボルが表示される。
【００３７】
ＬＥＤ５５は、図５（ｃ）に示すように、反射板５１および光反射シート５１Ａに貫通して設けられた微小穴５８内に、裏面から挿入配置されており、裏面の配線５７Ｂおよびプリント配線板５７Ａのパターン（図示せず）を介して電源が供給される。
これにより、例えば図５（ｂ）に示すように、ＬＥＤ５５Ａ（黒丸）を点灯させ、ＬＥＤ５５Ｂ（白丸）を消灯させることにより、ＬＥＤ５５Ａから出力光５６が前方に出力され、×印が表示される。
【００３８】
プリント配線板５７ＡとＬＥＤ５５の後部を収納するケース５４は、取り付けネジ５９により反射板５１に取り付けられている。
また、ケース５４の内側では、プリント配線板５７Ａ、ＬＥＤ５５の後部、および配線（絶縁電線）５７Ｂの一部が、すべてシリコン樹脂などの防水充填材５４Ａで埋め尽くされており、これによりこれら電気回路の導電部が雨水から保護されている。
【００３９】
この場合も、前記した各実施の形態と同様に、微小穴５８が微小直径であることから、ＬＥＤ５５が発光していない場合は、ドライバから微小穴５８を視認できないことから、×印表示をドライバに認識されることはない。
また、ＬＥＤ５５を発光させた場合、ＬＥＤ５５により十分な発光光度が得られるため、ドライバは光のにじみ現象により点綴りの×印表示を視認できる。
【００４０】
また、反射式の案内標識には微小穴５８を開けるだけであり、ＬＥＤ５５は配線を含めケース５４に実装して、後方から簡易に取り付けられる構造にしてあることから、非常に安価に構成できる。
特に、ＬＥＤ５５などの導電部はすべて防水充填材で防水されていることから、屋外用途にも適する。
【００４１】
なお、以上の各実施の形態において、ＬＥＤを縦横マトリックス状に設けた場合を例に説明したもの（図１，図２，図５）は、×印以外の図柄を表示可能としたもので、×印に限定するものではない。
また、×印だけを必要時に表示させたい場合は、例えば図３に示すように、×印の位置に相当するＬＥＤ１５Ａ（黒丸）だけを実装してもよく、不要となったＬＥＤ１５Ｂ（白丸）を挿入するための微小穴を設けなくても良いのはもちろんである。
【００４２】
また、ＬＥＤとして直径３〜５ｍｍのものを用いた場合を例に説明したが、これに限定するものでなく、非発光時にＬＥＤおよびＬＥＤの挿入穴が、ドライバに認識されない大きさで有ればよいのはもちろんである。
さらに、ＬＥＤの発光色も赤色のものを用いた場合を例に説明したが、他の色でもよく、ＬＥＤに２色以上のチップが実装されたものを用い、各色のＬＥＤを発光制御することで多色制御できるのはいうまでもない。
【００４３】
なお、ＬＥＤの前後方向の実装位置については、表示面の前面位置に合わせて実装した場合を例に説明したが、これに限定されるものでない。
例えば、太陽光線や車両のヘッドライトの光などの影響を受けにくくするために、ＬＥＤの実装位置を後方（裏面側）にずらして配置してもよい。
また、微小穴（ＬＥＤ）の配置位置については、表示図柄の任意の位置でよいが、進路を示す矢印部分に設けることにより、各先行道路の状況を明瞭に表示できる。
【００４４】
【発明の効果】
以上説明したように、本発明は、板状またはシート状の所定部材に形成された第１の表示図柄上に、複数の微小穴を縦横マトリックス状に配置するとともに、これら微小穴の内部に、発光時に点綴りで任意の標識図柄、文字またはシンボルなどの第２の表示図柄を第１の表示図柄に重畳して表示する複数のＬＥＤを挿入配置し、特に、各微小穴の直径を、各ＬＥＤが発光しない場合に、走行車両の乗員から視認されない大きさ、具体的には３〜５ｍｍとしたものである。
【００４５】
したがって、これら各情報表示装置において、ＬＥＤ発光時にのみ、固定的な第１の表示図柄に重畳して、任意の第２の表示図柄が点綴りで走行車両の乗員に視認されるものとなり、標識標示令により規定される案内標識の機能を維持し、かつ先行道路状況をドライバに対して明瞭に表示できる。
また、従来のように、可変表示装置を別個に設ける必要がなく、設備コストを大幅に低減できるとともに、新たな設置スペースを必要とせず比較的狭い場所であっても容易に設置できる。
【図面の簡単な説明】
【図１】  本発明の第１の実施の形態による情報表示装置を示す説明図である。
【図２】  本発明の第２の実施の形態による情報表示装置を示す説明図である。
【図３】  本発明の第３の実施の形態による情報表示装置を示す説明図である。
【図４】  内照式の他の情報表示装置を示す説明図である。
【図５】  本発明の第４の実施の形態による情報表示装置を示す説明図である。
【図６】  従来の情報表示方式を示す説明図である。
【図７】  従来の他の情報表示方式を示す説明図である。
【符号の説明】
１１…光拡散性透光板、１２…光源、１３…光源からの光、１４…表面前方からの光、１５，１５Ａ，１５Ｂ…ＬＥＤ、１６…ＬＥＤの出力光、１７…配線、１８…微小穴、１９…光拡散性透光板、２１…微小穴、３１…遮光箔、４１…光拡散性導光板、４２…光源、４３…光源からの光、５１…反射板、５１Ａ…光反射シート、５２…光源、５３…光源からの光、５４…ケース、５４Ａ…防水充填材、５５，５５Ａ，５５Ｂ…ＬＥＤ、５６…ＬＥＤからの出力光、５７Ａ…プリント配線板、５７Ｂ…配線、５８…微小穴、５９…取り付けネジ、６１…案内標識、６２…可変表示装置。
【図１】
0004112671.tif 000002
【図２】
0004112671.tif 000003
【図３】
0004112671.tif 000004
【図４】
0004112671.tif 000005
【図５】
0004112671.tif 000006
【図６】
0004112671.tif 000007
【図７】
0004112671.tif 000008